(57)【要約】【課題】施工後の外観が良く且つスライドカバーの寸法を小さくできる伸縮継手を提供する。【解決手段】本発明による伸縮継手１は、相対向する一方の躯体３に固定する一方の固定部材７と、他方の躯体５に固定する他方の固定部材９と、一方及び他方の固定部材５，９間に架設するスライドカバー１１と、スライドカバー１１の各躯体側端部を隠す固定カバー１３とを備え、一方及び他方の固定部材７、９は、躯体の見付け面に当接する見付面当接部１５と、躯体の見込み面に当接する見込み面当接部１７と、中空部２９を有する持出部２７と、持出部２７の先端に設けた受け部３１とを有し、持出部２７は対向する躯体側に突設しており、受け部３１はスライドカバー１１の裏面を受けている。【選択図】      図１
2004285718.tif 000002
【特許請求の範囲】
【請求項１】
相対向する躯体の一方の躯体に固定する一方の固定部材と、他方の躯体に固定する他方の固定部材と、一方及び他方の固定部材間に架設するスライドカバーと、一方及び他方の固定部材に取り付けてスライドカバーの各躯体側端部を隠す固定カバーとを備え、一方及び他方の固定部材は、躯体の見付け面に当接する見付け面当接部と、躯体の見込み面に当接する見込み面当接部と、中空部を有する持出部と、持出部の先端に設けた受け部とを有し、持出部は対向する躯体側に突設しており、受け部はスライドカバーの裏面を受けていることを特徴とする伸縮継手。
【請求項２】
持出部は見込み面当接部から突設しているとともに、持出部の中空部の断面は略三角形状としていることを特徴とする請求項１に記載の伸縮継手。
【請求項３】
持出部は見込み面当接部の見込み方向の奥側から突設しており、見込み面当接部と持出部と受け部とでスライドカバーの躯体側端部を呑み込む凹部を形成していることを特徴とする請求項１に記載の伸縮継手。
【発明の詳細な説明】
【０００１】
【発明の属する技術分野】
本発明は、建物の躯体間に設ける伸縮継手に関する。
【０００２】
【従来の技術】
この種の従来技術として、特許文献１には、躯体に固定する一方及び他方の固定部材が見付け面当接部と、見込み面当接部とを備え、固定カバーを固定部材に取り付けてスライドカバーの躯体側端部を隠すことが開示されている。
また、特許文献２には、固定部材に設けた持出部の先端にスライドカバーの受け部を設けるとともに持出部を中空部としたことが開示されている。
【０００３】
【特許文献１】
実開平７−２１８１１号公報
【特許文献２】
特開平３−２０６２３５号公報
【０００４】
【発明が解決しようとする課題】
しかし、上述の特許文献１に開示の技術では、スライドカバーの裏面を受ける受け部が躯体見付け面から正面側に向けて突設しているので、スライドカバーが躯体見付け面よりも正面側に大きく突設してしまい、外観を害するという問題がある。
また、見付け面当接部とスライドカバーの受け部と固定カバーのみで形成した凹部にスライドカバーの躯体側端部を呑み込んでいるので、スライドカバーの躯体側両端部間の寸法は躯体間の寸法よりも多く必要になり、スライドカバーが大型化するという問題がある。
これに対して、特許文献２に開示の技術のように、先端にスライドカバーの受け部を設けて対向する躯体側に突設した持出部を設けることが考えられるが、受け部に荷重が作用すると持出部の突設寸法に比例したモーメント力を持出部が受けるので、持出部の突設寸法に限界があり、その分スライドカバーが大型化するという問題がある。
そこで、本発明は、施工後の外観が良く且つスライドカバーの寸法を小さくできる伸縮継手の提供を目的とする。
【０００５】
【課題を解決するための手段】
請求項１に記載の発明は、相対向する躯体の一方の躯体に固定する一方の固定部材と、他方の躯体に固定する他方の固定部材と、一方及び他方の固定部材間に架設するスライドカバーと、一方及び他方の固定部材に取り付けてスライドカバーの各躯体側端部を隠す固定カバーとを備え、一方及び他方の固定部材は、躯体の見付け面に当接する見付け面当接部と、躯体の見込み面に当接する見込み面当接部と、中空部を有する持出部と、持出部の先端に設けた受け部とを有し、持出部は対向する躯体側に突設しており、受け部はスライドカバーの裏面を受けていることを特徴とする。
【０００６】
この請求項１に記載の発明では、先端にスライドカバーの受け部を有する持出部は、対向する躯体側に突設しているので、躯体間に跨るスライドカバーの躯体側両端間の寸法を小さくできる。
固定部材は見付け面当接部と見込み面当接部とを有しているので、互いに直交する二面で受け部が受ける荷重を受けることができ、固定部材を躯体に強固に固定できる。したがって、持出部の先端にある受け部がスライドカバーの荷重を受けた場合にも持出部に作用するモーメント力に対抗することができる。
また、持出部は対向する躯体側に突設しているので、スライドカバーが見付け面の正面側に大きく突設することがなく、外観が良い。
持出部は中空部を有するから、軽量で且つ強度を高くできる。
【０００７】
請求項２に記載の発明は、請求項１に記載の発明において、持出部は見込み面当接部から突設しているとともに、持出部の中空部の断面は略三角形状としていることを特徴とする。
【０００８】
この請求項２に記載の発明では、請求項１に記載の発明と同様な作用効果を奏するとともに、持出部は固定部材の見込み面当接部から対抗する躯体側に突設しているので、見付け面当接部から突設する場合に比較して、その先端で受けるカバー部材が躯体の見付け面から正面側に突設する量を更に小さくすることができる。
持出部の中空部の断面を略三角形としているので、簡易な構成で持出部が受けるモーメント力に対する強度を高くでき、更に持出部の寸法を長くしてスライドカバーの寸法を小さくすることができる。
【０００９】
請求項３に記載の発明は、請求項１に記載の発明において、持出部は見込み面当接部の見込み方向の奥側から突設しており、見込み面当接部と持出部と受け部とでスライドカバーの躯体側端部を呑み込む凹部を形成していることを特徴とする。
【００１０】
この請求項３に記載の発明では、請求項１に記載の発明と同様な作用効果を奏するとともに、持出部は固定部材の見込み面当接部の奥側から突設しているので、スライドカバーを呑み込む凹部を躯体の見込み面側に形成でき、固定部材及びこれに取り付けるスライドカバーが見付け方向正面側へ突出する寸法を小さくできる。
【００１１】
【発明の実施の形態】
以下に、添付図面を参照して、本発明の実施の形態を詳細に説明する。図１は本発明の第１実施の形態にかかる伸縮継手の施工状態を示す横断面図である。
本実施の形態にかかる伸縮継手１は、壁と壁との間取り付けており、一方の躯体３と、他方の躯体５は共に壁である。
この伸縮継手１は、一方の躯体３に固定する一方の固定部材７と、他方の躯体５に固定する他方の固定部材９と、一方及び他方の固定部材７、９間に架設するスライドカバー１１と、各固定部材７，９に取り付けられた固定カバー１３とから構成されている。
以下、一方及び他方の固定部材７、９はそれぞれ同じ構成であるから、一方の固定部材７のみについて説明し、他方の固定部材９には一方の固定部材７と同一部分には同一の符号を付けてその部分の説明を省略する。
一方の固定部材７には、躯体３の見付け面に当接する見付け面当接部１５と、躯体３の見込み面に当接する見込み面当接部１７とが略直角を成して設けてあり、固定部材７は、横断面が略Ｌ字形状を成している。見付け面当接部１５と見込み面当接部１７とは、それぞれアンカーボルト２５、２６により躯体３に固定されている。
見付け面当接部１５には固定カバー１３の支持部１９と、固定カバー１３の取付部２１とが設けてあり、支持部１９と取付部２１とはそれぞれ正面側に突設している。支持部１９は断面略Ｌ字を成して、この支持部１９の先端には固定カバーのねじ止め部２１が設けてあり、固定カバー１３の見付け方向における略中央部が固定されている。取付部２１には、固定カバー１３の基端部がねじ固定されている。
見込み面当接部１７には、他方の躯体９（対向する躯体）側に突設する持出部２７が設けてある。この持出部２７は見付け面当接部１７の見付け方向奥側（図中背面側）端部から正面側に向けて設けてあり、躯体の見付け面に対して斜めに傾斜している。
持出部２７の先端には受け部３１が設けてあり、受け部３１はスライドカバー１１の裏面を摺動自在に受けている。
見込み面当接部１７と、持出部２７と、受け部３１とで凹部３３を形成している。凹部３３がスライドカバー１１の躯体側端部１１ａ（又は１１ｂ）を呑み込んでいる。凹部３３は固定カバー１３により閉じており、凹部３３内にあるスライドカバーの躯体側端部１１ａ（又は１１ｂ）は固定カバー１３により隠されている。固定カバー１３の先端１３ａと受け部３１でスライドカバー１１の呑み込み口３５が形成されている。
スライドカバー１１は、平坦な板であり一方の躯体３と他方の躯体５との間に架設してある。スライドカバー１１の躯体側端部１１ａ、１１ｂは屈曲して形成され呑み込み口からの抜けが防止されている。
尚、スライドカバー１１の背面側に設けているのは止水部材３９である。
固定カバー１３は固定部材７の取付部２１と支持部にねじ止めされて、凹部３３内に呑み込まれているカバー部材の端部を隠している。
【００１２】
次に、伸縮継手１の動作及び作用について説明する。一方及び他方の躯体３、５間の寸法変化が生じると、スライドカバー１１が受け部３１に対して相対移動し、躯体３、５間の寸法変化に応じてスライドカバー１１の端部１１ａ、１１ｂが凹部３３に呑み込まれる量を変える。
本実施の形態にかかる伸縮継手１において、一方及び他方の固定部材７、９はそれぞれ、見付け面当接部１５と見込み面当接部１７とを有しており、互いに直交する二面で躯体３、５に固定されているので、見付け面のみや見込み面のみに固定する場合に比較して、躯体に強固に固定できる。
持出部２７は、対向する躯体５（又は３）側に突設して、持出部２７の先端に設けた受け部３１でスライドカバー１１の裏面を受けているので、スライドカバー１１の躯体側両端１１ａ、１１ｂ間の寸法を小さくでき、躯体間に跨るスライドカバーの寸法が小さくて済む。即ち、図１に示すように、本実施の形態では、スライドカバー１１における躯体側端部１１ａ、１１ｂ間の寸法は、一方の躯体３と他方の躯体５との間の寸法よりも小さくすることができる。
また、持出部２７は対向する躯体５（又は３）側に突設しており、見付け面の正面側のみに向けて突設していないから、スライドカバー１１が見付け面の正面側に大きく突設していないので、外観が良い。
持出部２７は中空部２９を有するから、持出部２７を軽量で且つ強度が高い。
持出部２７は固定部材７、９の見込み面当接部１７の奥側端部から対向する躯体側に突設しているので、スライドカバー１１を呑み込む凹部３３を躯体３、５の見込み面側に形成でき、固定部材７、９及びこれに取り付けるスライドカバー１１が見付け方向正面側へ突出する寸法を小さくできる。
さらに、本実施の形態では、固定カバー１３の見付け面とスライドカバー１１とを平坦面に形成しているから、正面側から略同一面に見えて外観がよい。
【００１３】
次に、図２を参照して、本発明の第２実施の形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。
第２実施の形態では、一方の躯体３と他方の躯体５とはそれぞれ床であり、固定部カバー１３とスライドカバー１１とを床面（躯体の見付け面）に略面一になっているので、外観が良い。また、一方及び他方の固定部材７、９の見付け面当接部と躯体との間には隙間塞ぎ部材４１が設けてあり、床面と固定カバー部材１３との間を連続面にしている。
この実施の形態では、持出部２７の中空部２９は断面を略三角形形状としており、且つ持出部２７は三角形の一辺部分が見込み面当接部１７を兼ねているので、構成を簡易に且つ小型にできる。
持出部２７の中空部２９は断面を略三角形状にしているので、持出部３７の強度を高くでき、持出部２７に作用するスライドカバーの荷重によるモーメント力に対抗できるから、持出部２７の突設寸法を長く取ることができる。尚、本実施の形態では中空部２９の三角形の一辺は躯体側に沿って設けている。
尚、第２実施の形態では、固定カバー１３は取付部２１に基端部のみが固定されており、上述した第１実施の形態にあるような固定カバーの中間支持部１９がない。また、本実施の形態では、見付け面当接部１５のみがアンカーにより躯体３、５に固定してある。
【００１４】
本発明は、上述した実施の形態に限らず、本発明の要旨を逸脱しない範囲で種々変形可能である。
例えば、第１実施の形態において、持出部２７の各中空部の断面形状を略三角形状に形成するものであってもよい。
また、第１実施の形態において、固定カバー１３の中間支持部１９はなくてもよい。
持出部２７は見込み面当接部１７の奥側端部から突設することに限らず、奥側端部よりも見付け面側から突設するものであってもよく、見付け面よりも奥側であればよい。
【００１５】
【発明の効果】
請求項１に記載の発明によれば、先端にスライドカバーの受け部を有する持出部は、対向する躯体側に突設しているので、躯体間に跨るスライドカバーの躯体側両端間の寸法を小さくできる。
固定部材は見付け面当接部と見込み面当接部とを有しているので、互いに直交する二面で受け部が受ける荷重を受けることができ、固定部材を躯体に強固に固定できる。したがって、持出部の先端にある受け部がスライドカバーの荷重を受けた場合にも持出部に作用するモーメント力に対抗することができる。
また、持出部は対向する躯体側に突設しているので、スライドカバーが見付け面の正面側に大きく突設することがなく、外観が良い。
持出部は中空部を有するから、持出部を軽量で且つ強度を高くできる。
【００１６】
請求項２に記載の発明によれば、請求項１に記載の発明と同様な効果を奏するとともに、持出部は固定部材の見込み面当接部から対抗する躯体側に突設しているので、見付け面当接部から突設する場合に比較して、その先端で受けるカバー部材が躯体の見付け面から正面側に突設する量を更に小さくすることができる。
持出部の中空部の断面を略三角形としているので、簡易な構成で持出部が受けるモーメント力に対する強度を高くでき、更に持出部の寸法を長くしてスライドカバーの寸法を小さくすることができる。
【００１７】
請求項３に記載の発明によれば、請求項１に記載の発明と同様な効果を奏するとともに、持出部は固定部材の見込み面当接部の見込み方向奥側から突設しているので、スライドカバーを呑み込む凹部を躯体の見込み面側に形成でき、固定部材及びこれに取り付けるスライドカバーが見付け方向正面側へ突出する寸法を小さくでき、更に外観が良い。
【図面の簡単な説明】
【図１】本発明の第１実施の形態にかかる伸縮継手の施工状態を示す横断面図である。
【図２】本発明の第２実施の形態にかかる伸縮継手の施工状態を示す縦断面図である。
【符号の説明】
１      伸縮継手
３      一方の躯体
５      他方の躯体
７      一方の固定部材
９      他方の固定部材
１１    スライドカバー
１３    固定カバー
１５    見付け面当接部
１７    見込み面当接部
２７    持出部
２９    中空部
３１    受け部
３３    凹部
【図１】
2004285718.tif 000003
【図２】
2004285718.tif 000004